(57)【要約】      （修正有）【課題】ルアーに接続された釣針のフック先端を損傷することなく、安全に釣針をカバーできる実用性が高いルアーの釣針カバー装置を提供する。【解決手段】ルアー本体に接続される釣針１１０を内部に収容する中空のケース体であり、釣針１１０を出し入れできるように開閉可能な複数の分割殻部１８ａ、１８ｂを含むケース体１２と、ケース体１２内に収容した釣針１１０のかえし１１８がケース体自体に当たらないように釣針１１０を保持する保持手段１４と、を備えたルアーの釣針カバー装置１０から構成される。【選択図】図４
2018064487.tif 000002
【特許請求の範囲】
【請求項１】
ルアー本体に自由に動けるように連結接続される釣針を内部に収容する中空のケース体であり、釣針を出し入れできるように開閉可能な複数の分割殻部を含むケース体と、
ケース体内に収容した釣針のかえしがケース体自体に当たらないように釣針を保持する保持手段と、を備えたことを特徴とするルアーの釣針カバー装置。
【請求項２】
保持手段は、一端がケース体に固定されるとともに他端がケース体内に収容されて吊支される釣針のアイ部に係合する係止具を有することを特徴とする請求項１記載のルアーの釣針カバー装置。
【請求項３】
係止具は、太線状の通し杆を含み、通し杆をアイ部の貫通孔に刺し通した状態で吊支された釣針を係止することを特徴とする請求項２記載のルアーの釣針カバー装置。
【請求項４】
通し杆は、釣針の吊支時の吊支方向に湾曲する円弧線条からなることを特徴とする請求項３記載のルアーの釣針カバー装置。
【請求項５】
係止具はケース体の分割殻部の開閉線部又はその近傍に配置されていることを特徴とする請求項２ないし４のいずれかに記載のルアーの釣針カバー装置。
【請求項６】
分割殻部の開閉線部に、アイ部の貫通孔に刺し通した通し杆の該貫通孔内でのあそびをなくするように釣針への吊支テンションを作用させる開口が設けられていることを特徴とする請求項２ないし５のいずれかに記載のルアーの釣針カバー装置。
【請求項７】
ケース体は、２つの分割殻部を閉鎖方向にばね付勢しつつ開閉自在に設けたことを特徴とする請求項１ないし６のいずれかに記載のルアーの釣針カバー装置。
【発明の詳細な説明】
【技術分野】
【０００１】
本発明は、ルアーフィッシングで利用されるルアーの釣針に着脱自在に装着して該釣針を保護するルアーの釣針カバー装置に関する。
【背景技術】
【０００２】
ルアーフィッシングで利用されるルアーには、例えば、１〜３本のフックを有する釣針がルアー本体に対して可動自在に連結されている。ルアーを持ち運ぶ際には、釣針が露出されていると釣り人の身体や衣服に引っかかって、怪我したり、衣服が破れたりするおそれがある。また、ルアーを道具入れ等に入れる場合には、ルアー自体やその他の釣り道具類に釣針が引っかかったり絡まりやすく、取り出しにくかったり、ルアーや釣針自体が損傷したり、他の道具類を損傷させたりするおそれが高かった。従来、ルアーの釣針を収容する釣り針用カバーが提案されている。例えば、特許文献１の釣り針用カバーは、釣り針用の収納空間を形成する一対のカバー構成材を有しており、両カバー構成材における結合境界部分で釣り針の軸を挿通する通孔が形成されているものであった。
【先行技術文献】
【特許文献】
【０００３】
【特許文献１】特開２０００−３００１３８号公報
【発明の概要】
【発明が解決しようとする課題】
【０００４】
しかしながら、例えば、特許文献１のような従来の釣り針用カバーでは、釣針の軸を挿通する通孔が該釣針の軸の径よりやや大きく設けられることから、釣針に装着した状態では、該カバーが釣針の軸に対して移動自在となっていた。よって、例えば、釣針用カバーをルアーの釣針に装着した状態で、ルアー側を手で持ったり支持すると釣針用カバー自体の重みで該カバーが軸に沿って下がって針先がカバーの内壁に当たるとともに、釣針用カバー側を手で持ったり支持すると、ルアー自体の重みでカバー内で釣針が移動して針先がカバーの内壁に当たるものであった。すなわち、従来の釣針用カバーを装着してルアーを持ち運ぶ際には、釣針に対してカバーが移動することから、カバーが該釣針の軸に沿って上下動して該カバーの内壁に釣針の針先が当たってしまい、釣針の針先が摩耗したり損傷するおそれが高いとともに、該カバーも損傷しやすく、実用性に劣る問題があった。
【０００５】
本発明は上記従来の課題に鑑みてなされたものであり、その一つの目的は、ルアーに接続された釣針のフック先端を損傷することなく、安全に釣針をカバーできる実用性が高いルアーの釣針カバー装置を提供することにある。
【課題を解決するための手段】
【０００６】
上記課題を解決するため本発明は、ルアー本体１１２に自由に動けるように連結接続される釣針１１０を内部に収容する中空のケース体であり、釣針１１０を出し入れできるように開閉可能な複数の分割殻部１８ａ、１８ｂを含むケース体１２と、ケース体１２内に収容した釣針１１０のかえしがケース体自体に当たらないように釣針１１０を保持する保持手段１４と、を備えたルアーの釣針カバー装置１０から構成される。
【０００７】
また、保持手段１４は、一端がケース体１２に固定されるとともに他端がケース体１２内に収容されて吊支される釣針１１０のアイ部１１４に係合する係止具３８を有することとしてもよい。
【０００８】
また、係止具３８は、太線状の通し杆４０を含み、通し杆４０をアイ部１１４の貫通孔に刺し通した状態で吊支された釣針１１０を係止することとしてもよい。
【０００９】
また、通し杆４０は、釣針１１０の吊支時の吊支方向に湾曲する円弧線条からなることとしてもよい。
【００１０】
また、係止具３８はケース体１２の分割殻部１８ａ、１８ｂの開閉線部１９又はその近傍に配置されていることとしてもよい。
【００１１】
また、分割殻部１８ａ、１８ｂの開閉線部１９に、アイ部１１４の貫通孔に刺し通した通し杆４０の該貫通孔内でのあそびをなくするように釣針１１０への吊支テンションＴを作用させる開口３２が設けられていることとしてもよい。
【００１２】
また、ケース体１２は、２つの分割殻部１８ａ、１８ｂを閉鎖方向にばね付勢しつつ開閉自在に設けたこととしてもよい。
【発明の効果】
【００１３】
本発明のルアーの釣針カバー装置によれば、ルアー本体に自由に動けるように連結接続される釣針を内部に収容する中空のケース体であり、釣針を出し入れできるように開閉可能な複数の分割殻部を含むケース体と、ケース体内に収容した釣針のかえしがケース体自体に当たらないように釣針を保持する保持手段と、を備えたことから、釣針の針先端を確実に保護しながら、釣針をカバーすることができ、実用性が高い釣針カバーを提供できる。
【００１４】
また、保持手段は、一端がケース体に固定されるとともに他端がケース体内に収容されて吊支される釣針のアイ部に係合する係止具を有する構成とすることにより、保持手段を簡単な構造で実現できるとともに、釣針への着脱操作を行いやすく、使い勝手がよい。
【００１５】
また、係止具は、太線状の通し杆を含み、通し杆をアイ部の貫通孔に刺し通した状態で吊支された釣針を係止する構成とすることにより、簡単かつシンプルな構造で係止具を具体的に実現でき、低コストで製造することができる。
【００１６】
また、通し杆は、釣針の吊支時の吊支方向に湾曲する円弧線条からなる構成とすることにより、ルアー本体にカバー体や通し杆が当たりにくい構造で設計でき、通し杆への釣針のアイ部との係合を簡単に行うことができ、確実に係止できる。
【００１７】
また、係止具はケース体の分割殻部の開閉線部又はその近傍に配置されている構成とすることにより、係止具を釣針のアイ部に係止操作しやすいとともに、装置全体を比較的コンパクトに構成することができる。
【００１８】
また、分割殻部の開閉線部に、アイ部の貫通孔に刺し通した通し杆の該貫通孔内でのあそびをなくするように釣針への吊支テンションを作用させる開口が設けられている構成とすることにより、ルアー本体に吊支接続された釣針のルアー本体との張力作用を利用して、アイ部が通し杆で係止した状態を良好に維持でき、確実に釣針が分割殻部に当たらないように保持できる。
【００１９】
また、ケース体は、２つの分割殻部を閉鎖方向にばね付勢しつつ開閉自在に設けた構成とすることにより、簡単な操作で釣針をケース体内部に収納、ケース体から取り出し操作することができ、使い勝手を向上できる。
【図面の簡単な説明】
【００２０】
【図１】本実施形態に係るルアーの釣針カバー装置の第１の実施形態の斜視図である。
【図２】図１のルアーの釣針カバー装置の分割殻部を開いた状態の説明図である。
【図３】図１のルアーの釣針カバー装置の正面図である。
【図４】図３のルアーの釣針カバー装置のＡ−Ａ線断面図である。
【図５】図４のルアーの釣針カバー装置の分割殻部を開いた状態の説明図である。
【図６】図３のルアーの釣針カバー装置のＢ−Ｂ線断面図である。
【図７】図６のルアーの釣針カバー装置の分割殻部の開閉線部の一部拡大説明図である。
【図８】図１のルアーの釣針カバー装置をルアーに装着した状態の説明図である。
【図９】図１のルアーの釣針カバー装置を持ち運ぶ際の一例の説明図である。
【図１０】本実施形態に係るルアーの釣針カバー装置の第２の実施形態の斜視図である。
【図１１】図１０のルアーの釣針カバー装置の縦断面図である。
【図１２】図１０のルアーの釣針カバー装置の横断面図である。
【発明を実施するための形態】
【００２１】
以下添付図面を参照しつつ本発明のルアーの釣針カバー装置の実施形態について説明する。本発明に係るルアーの釣針カバー装置は、例えば、ルアーフィッシングで利用されるルアーについて、ルアーを携帯する際にルアーに連結接続された釣針部分を収容する釣針用カバーである。図１ないし図９は、本発明のルアーの釣針カバー装置の第１の実施形態を示している。図１、図２、図４に示すように、本実施形態では、ルアーの釣針カバー装置１０は、釣針を収容するケース体１２と、釣針を保持する保持手段１４と、を備えている。
【００２２】
本実施形態では、ルアー１００は、例えば、図８に示すように、魚等の形状をした木製又は合成樹脂製のルアー本体１０２の一端側すなわち魚形状の口部側にラインに接続されるラインアイレット１０４が固定され、ルアー本体１０２の長手方向中間位置すなわち魚の腹部相当部分と、魚の尾鰭相当部分にそれぞれ固定されたフックアイレット１０６にリング１０８を介して釣針１１０が接続されている。釣針１１０は、直線状の軸１１２の一端に、ルアー本体１０２のアイレット１０６にリング１０８を介して接続されるアイ部１１４が設けられており、軸１１２の他端には、放射状に３つのフックのカーブ部１１６が一体的に設けられている。Ｕ字状のカーブ部１１６の突出先端側にかえし１１８が形成され、その先端に針先１１９が上方を向けて形成されている。釣針１１０は、ルアー本体１０２に対する軸１１２の角度を自由に変化させ得るように自由に動けるような接続状態で連結されてルアー本体１０２に吊支されている。なお、図８では、説明のために一方（腹部側）の釣針１１０に装着されたルアーの釣針カバー装置１０は断面した状態で示している。
【００２３】
ケース体１２は、釣針１１０を内部に収容する収容空間１６を有する釣針収容手段である。図１、図２、図３、図４に示すように、本実施形態では、ケース体１２は、釣針１１０を出し入れできるように開閉可能な複数の分割殻部を含む構成となっている。具体的には、ケース体１２は、例えば、釣針１１０の略全体を収容しうるような大きさの略球体状に設けられているとともに、２分割構成となっており、２つの半球殻状の分割殻部１８ａ、１８ｂを開閉可能に組み合わせて形成されている。２つの分割殻部１８ａ、１８ｂは、例えば、半球状の分割殻部１８ａ、１８ｂの互いの開口縁を合わせて開閉線部１９を構成し、開閉操作部２０を介してそれらの開閉線部１９から開閉自在に設けられている。
【００２４】
開閉操作部２０は、２つの分割殻部１８ａ、１８ｂにそれぞれ固定される１対のつまみ部２２と、一対のつまみ部２２を揺動自在に連結する揺動軸２４と、２つの分割殻部１８ａ、１８ｂを閉鎖方向に付勢するようにつまみ部２２に係合する付勢ばね２６と、を含む。つまみ部２２は、例えば、それぞれ一端を半円状とした舌片状の板片部材からなり、他端部が分割殻部１８ａ、１８ｂに固定され、略ハ字状に対向配置されている。つまみ部２２の対向内側には、ブラケット状の軸支部２８が突設されており、該軸支部２８の揺動軸２４が貫通状に組み付けられている。つまみ部２２が揺動軸２４回りに揺動することにより、ケース体１２の２つの分割殻部１８ａ、１８ｂが自在に開閉する。付勢ばね２６は、例えば、円筒状のコイル巻ばねからなり、揺動軸２４の周りに配置されつつ、両端部をそれぞれつまみ部２２の軸支部２８に固定させて、２つの分割殻部１８ａ、１８ｂを閉鎖方向にばね付勢させるように設けられている。さらに、つまみ部２２には、該板片を貫通した吊下用貫通孔３０が設けられている。つまみ部２２の吊下用貫通孔３０を介して、例えば、図９に示すように、釣り人が装着している衣服やベルト、バッグや釣り道具ホルダー等に取付けられるリングやナスカン等を介して着脱可能に吊り下げるができる。
【００２５】
図１、図２、図４、図６に示すように、ケース体１２には、釣針１１０のアイ部１１４を通す開口３２が設けられている。開口３２は、例えば、アイ部１１４の径より大きな径略円形状に設けられており、開閉線部１９の中間位置に設けられている。よって、開口３２は、２つの分割殻部１８ａ、１８ｂの縁部にそれぞれ凹設された半円状の切欠き３３（図２参照）を組み合わせて形成されている。開口３２は、例えば、開閉操作部２０に対してケース体１２の直径方向に対向する位置に設けられている。よって、開閉操作部２０を操作して、２つの分割殻部１８ａ、１８ｂを開操作すると、開き幅が大きくなる縁部側に開口３２を形成する切欠き３３が設けられている。さらに、ケース体１２には、開口３２と径方向に対向する位置すなわち開閉操作部２０が設けられた部分に近接した位置には、水抜き用開口３４が設けられている。水抜き用開口３４は、開口３２に比較して小径に形成されるとともに、水抜き用開口３４も開口３２同様に、２つの分割殻部１８ａ、１８ｂの縁部にそれぞれ凹設された半円状の切欠きを組み合わせて形成される。水抜き用開口３４は、例えば、ルアーを使用した後や洗浄した後に濡れているルアーの釣針を収容した際に、良好に水を抜いて、ケース体内に水が溜まるのを防止できる。
【００２６】
図７に示すように、ケース体１２の２つの分割殻部１８ａ、１８ｂの互いに当接する縁部には、互いに噛み合わせ状に係合する段差部３６が設けられている。これにより、例えば、ルアー本体１０２に対して釣針１１０が激しく揺れて、釣針１１０のカーブ部１１４等がケース体１２の開閉線部１９に当たっても、該カーブ部１１６が開閉線部１９から外に出るのを防止できる。
【００２７】
図１、図２、図４に示すように、保持手段１４は、ケース体１２内に収容した釣針１１０のかえし１１８や針先１１０がケース体１２自体に当たらないように釣針１１０を保持する保持手段である。本実施形態では、保持手段１４は、ケース体１２の内部１６に収容状に配置されて該ケース体１２に支持されている。保持手段１４は、例えば、一端がケース体１２に固定されるとともに、他端がケース体内に収容されて釣針１１０のアイ部１１２に係合する係止具３８を有する。係止具３８は、例えば、金属又は合成樹脂等の硬質素材で形成された太線状の通し杆４０を含む。
【００２８】
通し杆４０は、例えば、その径がアイ部１１４の貫通孔の径よりも小さな太線状に形成されている。通し杆４０は、略球体状のケース体１２の輪郭に沿うような円弧線条に形成されて、ケース体１２の分割殻部１８ａ、１８ｂの開閉線部１９の近傍であって開口３２が形成された位置に配置されるとともに、該開口３２を跨るように配置されている。通し杆４０は、一端を一方の分割殻部１８ａの内壁に例えば、接着剤等による固定部４２により固定されるとともに、他端が他方の分割殻部１８ｂの内壁に沿って近接されるように突設されている。図４に示すように、通し杆４０は、釣針１１０のアイ部１１４の貫通孔に刺し通した状態で該釣針１１０を係止する。すなわち通し杆４０は、釣針１１０をケース体１２に収容した状態で釣針１１０のアイ部１１４を係止して、釣針１１０の吊支時の吊支方向、すなわち、図４上では水平横方向から上方向に湾曲した円弧線条となっている。図５に示すように、分割殻部１８ａ、１８ｂを開操作して、通し杆４０の他端から釣針１１０のアイ部１１４の貫通孔に挿し通し、分割殻部１８ａ、１８ｂを閉鎖すると、通し杆４０の他端と、分割殻部１８ｂの内壁との隙間が狭くなって該通し杆４０の他端が閉鎖され、開口３２の縁部で該アイ部１１４が抜脱されないような状態で通し杆４０にアイ部１１４が係止保持される。例えば、ルアー本体１０２を手で持つと、釣針１１０が吊支されるが、ケース体１２の開閉線部１９に設けられた開口３２とアイ部１１４との間にある程度隙間があることから、釣針１１０を引き上げるような吊支テンションＴが直接的に作用する。これにより、釣針に上方に引き上げるような力が加わり、通し杆の貫通孔内でのあそびをなくすように作用する。また、例えば、ルアーからの吊支テンションＴが開口３２を介して直接的に釣針に作用するので、アイ部を刺し通している通し杆４０には上方に引き上げるような力が作用して、突出先端側が分割殻部１８ｂの内壁に近接させる向きに力が作用する。その結果、通し杆４０からのアイ部１１４の離脱を良好に防止でき、保持手段による釣針の保持を確実に行える。
【００２９】
なお、カバー体１２や保持手段１４は、上記したものに限らず任意に構成してもよい。カバー体１２は、上述したような略球体状に限らず、例えば、円筒状、箱体状、その他任意の立体形状としてもよく、目玉等を付けて魚やその他のキャラクターに模したデザイン等としてもよい。また、カバー体１２は、３個以上の複数の分割殻部で構成してもよい。また、複数の分割殻部の開閉構成は、任意でよく、分割殻部どうしを組付け分離自在として開閉する構成でもよい。また、通し杆４０は、例えば、直線状やＵ字状、Ｖ字状等、その他、アイ部を係止するような形状であれば任意でも良い。
【００３０】
次に、本実施形態に係るルアーの釣針カバー装置１０の作用について説明する。ルアーの釣針カバー装置１０をルアー１００の釣針１１０に装着する際には、図２、図５に示すように、開閉操作部２０の付勢ばね２６の付勢力に抗して一対のつまみ部２２を手で操作して分割殻体１８ａ、１８ｂを開操作する。釣針１１０を分割殻１８ａ、１８ｂの内部に収容しつつ、通し杆４０の突出端からアイ部１１４の貫通孔に刺し通す。つまみ部２２から手を放すと、付勢ばね２６のばね付勢力により分割殻体１８ａ、１８ｂが閉鎖するとともに、通し杆４０の突出端が分割殻体１８ｂの内壁に略沿うように近接して閉鎖され、該アイ部１１４が離脱しないように該通し杆４０に係止される。これにより、ルアーの釣針をケース体内に収容した際に、該釣針１１０のかえしの針先１１９が該カバー体１２の内壁に当たるのを確実に防止でき、釣針の針先を保護しながら釣針を収納することができる。例えば、図９に示すように、釣り人の腰に装着した釣り道具吊支用のチェーン等の索条ＣＨにルアー１００の釣針１１０をカバーして装着したルアーの釣針用カバー装置１０のつまみ部２２の吊支用貫通孔３０を介して吊支して携帯することができる。このような携帯状態でも、保持手段１４によりカバー体１２に対して釣針１１０があたらないように保持しながら、釣針をカバー体内に収納して安全に持ち運ぶことができる。一方、ルアーを使用する際には、開閉操作部２０のつまみ部２２を上記同様に手でつまんで分割殻体１８ａ、１８ｂを開操作し、釣針１１０のアイ部１１４から通し杆４０を引き抜きながら、該釣針を分割殻体１８ａ、１８ｂから取り出す。このようにして、ルアーの釣針から釣針カバー装置を簡単に装着、離脱して、使用することができる。
【００３１】
次に、図１０、図１１、図１２を参照しつつ本発明のルアーの釣針カバー装置の第２の実施形態について説明する。上記した第１実施形態と同一構成、同一部材には、同一符号を付し、その詳細な説明は省略する。図１０、図１１、図１２に示すように本実施形態では、ルアーの釣針カバー装置１０−２は、上記実施形態同様に、分割殻体１８ａ、１８ｂを含むカバー体１２と、通し杆４０を含む保持手段１４と、を備えている。本実施形態では、カバー体１２の開口３２は２個設けられており、それぞれの開口３２の位置に対応して２つの通し杆４０が設けられている。カバー体１２の開口３２は、略球体状のカバー体１２の直径方向に対向して形成されている。開閉操作部２０は、分割殻部１８ａ、１８ｂの２つの開口３２を通る直径方向に対して直交する位置に取付けられている。本実施形態でも上記実施形態同様に、ルアーの釣針１１０をカバー体１２内に収容した際に保持手段１４により釣針がカバー体内壁に当たらないように保持することができ、該釣針のカバー釣針のかえし先端を保護できる等の作用効果を奏し得る。さらに、２つの通し杆４０のいずれでも釣針のアイ部を係止できるので、カバー体を上下の向きが限定されず、いずれの向きでも釣針のアイ部を係止して釣針を収容でき、使い勝手が良い。
【００３２】
以上説明した本発明のルアーの釣針カバー装置は、上記した実施形態のみの構成に限定されるものではなく、特許請求の範囲に記載した本発明の本質を逸脱しない範囲において、任意の改変を行ってもよい。
【産業上の利用可能性】
【００３３】
本発明のルアーの釣針カバー装置は、例えば、ルアー本体に接続された釣針を保護するのに利用される。
【符号の説明】
【００３４】
１０    ルアーの釣針カバー装置
１２    ケース体
１４    保持手段
１８ａ、１８ｂ    分割殻部
１９    開閉線部
２６    付勢ばね
３２    開口
３８    係止具
４０    通し杆
１００    ルアー
１１０    釣針
１１２    軸
１１４    アイ部
１１８    かえし
１１９    針先
【図１】
2018064487.tif 000003
【図２】
2018064487.tif 000004
【図３】
2018064487.tif 000005
【図４】
2018064487.tif 000006
【図５】
2018064487.tif 000007
【図６】
2018064487.tif 000008
【図７】
2018064487.tif 000009
【図８】
2018064487.tif 000010
【図９】
2018064487.tif 000011
【図１０】
2018064487.tif 000012
【図１１】
2018064487.tif 000013
【図１２】
2018064487.tif 000014
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
ルアー本体に自由に動けるように連結接続される釣針を内部に収容する中空のケース体であり、釣針を出し入れできるように開閉可能な複数の分割殻部を含むケース体と、
ケース体内に収容した釣針のかえしがケース体自体に当たらないように釣針を保持する保持手段と、を備え、
保持手段は、一端がケース体に固定されるとともに他端がケース体内に収容されて吊支される釣針のアイ部に係合する係止具を有することを特徴とするルアーの釣針カバー装置。
【請求項２】
係止具は、太線状の通し杆を含み、通し杆をアイ部の貫通孔に刺し通した状態で吊支された釣針を係止することを特徴とする請求項１記載のルアーの釣針カバー装置。
【請求項３】
通し杆は、釣針の吊支時の吊支方向に湾曲する円弧線条からなることを特徴とする請求項２記載のルアーの釣針カバー装置。
【請求項４】
係止具はケース体の分割殻部の開閉線部又はその近傍に配置されていることを特徴とする請求項１ないし３のいずれかに記載のルアーの釣針カバー装置。
【請求項５】
分割殻部の開閉線部に、アイ部の貫通孔に刺し通した通し杆の該貫通孔内でのあそびをなくするように釣針への吊支テンションを作用させる開口が設けられていることを特徴とする請求項１ないし４のいずれかに記載のルアーの釣針カバー装置。
【請求項６】
ケース体は、２つの分割殻部を閉鎖方向にばね付勢しつつ開閉自在に設けたことを特徴とする請求項１ないし５のいずれかに記載のルアーの釣針カバー装置。
【手続補正２】
【補正対象書類名】明細書
【補正対象項目名】全文
【補正方法】変更
【補正の内容】
【発明の詳細な説明】
【技術分野】
【０００１】
本発明は、ルアーフィッシングで利用されるルアーの釣針に着脱自在に装着して該釣針を保護するルアーの釣針カバー装置に関する。
【背景技術】
【０００２】
ルアーフィッシングで利用されるルアーには、例えば、１〜３本のフックを有する釣針がルアー本体に対して可動自在に連結されている。ルアーを持ち運ぶ際には、釣針が露出されていると釣り人の身体や衣服に引っかかって、怪我したり、衣服が破れたりするおそれがある。また、ルアーを道具入れ等に入れる場合には、ルアー自体やその他の釣り道具類に釣針が引っかかったり絡まりやすく、取り出しにくかったり、ルアーや釣針自体が損傷したり、他の道具類を損傷させたりするおそれが高かった。従来、ルアーの釣針を収容する釣り針用カバーが提案されている。例えば、特許文献１の釣り針用カバーは、釣り針用の収納空間を形成する一対のカバー構成材を有しており、両カバー構成材における結合境界部分で釣り針の軸を挿通する通孔が形成されているものであった。
【先行技術文献】
【特許文献】
【０００３】
【特許文献１】特開２０００−３００１３８号公報
【発明の概要】
【発明が解決しようとする課題】
【０００４】
しかしながら、例えば、特許文献１のような従来の釣り針用カバーでは、釣針の軸を挿通する通孔が該釣針の軸の径よりやや大きく設けられることから、釣針に装着した状態では、該カバーが釣針の軸に対して移動自在となっていた。よって、例えば、釣針用カバーをルアーの釣針に装着した状態で、ルアー側を手で持ったり支持すると釣針用カバー自体の重みで該カバーが軸に沿って下がって針先がカバーの内壁に当たるとともに、釣針用カバー側を手で持ったり支持すると、ルアー自体の重みでカバー内で釣針が移動して針先がカバーの内壁に当たるものであった。すなわち、従来の釣針用カバーを装着してルアーを持ち運ぶ際には、釣針に対してカバーが移動することから、カバーが該釣針の軸に沿って上下動して該カバーの内壁に釣針の針先が当たってしまい、釣針の針先が摩耗したり損傷するおそれが高いとともに、該カバーも損傷しやすく、実用性に劣る問題があった。
【０００５】
本発明は上記従来の課題に鑑みてなされたものであり、その一つの目的は、ルアーに接続された釣針のフック先端を損傷することなく、安全に釣針をカバーできる実用性が高いルアーの釣針カバー装置を提供することにある。
【課題を解決するための手段】
【０００６】
上記課題を解決するため本発明は、ルアー本体１１２に自由に動けるように連結接続される釣針１１０を内部に収容する中空のケース体であり、釣針１１０を出し入れできるように開閉可能な複数の分割殻部１８ａ、１８ｂを含むケース体１２と、ケース体１２内に収容した釣針１１０のかえしがケース体自体に当たらないように釣針１１０を保持する保持手段１４と、を備え、保持手段１４は、一端がケース体１２に固定されるとともに他端がケース体１２内に収容されて吊支される釣針１１０のアイ部１１４に係合する係止具３８を有するルアーの釣針カバー装置１０から構成される。
【０００７】
また、係止具３８は、太線状の通し杆４０を含み、通し杆４０をアイ部１１４の貫通孔に刺し通した状態で吊支された釣針１１０を係止することとしてもよい。
【０００８】
また、通し杆４０は、釣針１１０の吊支時の吊支方向に湾曲する円弧線条からなることとしてもよい。
【０００９】
また、係止具３８はケース体１２の分割殻部１８ａ、１８ｂの開閉線部１９又はその近傍に配置されていることとしてもよい。
【００１０】
また、分割殻部１８ａ、１８ｂの開閉線部１９に、アイ部１１４の貫通孔に刺し通した通し杆４０の該貫通孔内でのあそびをなくするように釣針１１０への吊支テンションＴを作用させる開口３２が設けられていることとしてもよい。
【００１１】
また、ケース体１２は、２つの分割殻部１８ａ、１８ｂを閉鎖方向にばね付勢しつつ開閉自在に設けたこととしてもよい。
【発明の効果】
【００１２】
本発明のルアーの釣針カバー装置によれば、ルアー本体に自由に動けるように連結接続される釣針を内部に収容する中空のケース体であり、釣針を出し入れできるように開閉可能な複数の分割殻部を含むケース体と、ケース体内に収容した釣針のかえしがケース体自体に当たらないように釣針を保持する保持手段と、を備えたことから、釣針の針先端を確実に保護しながら、釣針をカバーすることができ、実用性が高い釣針カバーを提供できる。
【００１３】
また、保持手段は、一端がケース体に固定されるとともに他端がケース体内に収容されて吊支される釣針のアイ部に係合する係止具を有する構成とすることにより、保持手段を簡単な構造で実現できるとともに、釣針への着脱操作を行いやすく、使い勝手がよい。
【００１４】
また、係止具は、太線状の通し杆を含み、通し杆をアイ部の貫通孔に刺し通した状態で吊支された釣針を係止する構成とすることにより、簡単かつシンプルな構造で係止具を具体的に実現でき、低コストで製造することができる。
【００１５】
また、通し杆は、釣針の吊支時の吊支方向に湾曲する円弧線条からなる構成とすることにより、ルアー本体にカバー体や通し杆が当たりにくい構造で設計でき、通し杆への釣針のアイ部との係合を簡単に行うことができ、確実に係止できる。
【００１６】
また、係止具はケース体の分割殻部の開閉線部又はその近傍に配置されている構成とすることにより、係止具を釣針のアイ部に係止操作しやすいとともに、装置全体を比較的コンパクトに構成することができる。
【００１７】
また、分割殻部の開閉線部に、アイ部の貫通孔に刺し通した通し杆の該貫通孔内でのあそびをなくするように釣針への吊支テンションを作用させる開口が設けられている構成とすることにより、ルアー本体に吊支接続された釣針のルアー本体との張力作用を利用して、アイ部が通し杆で係止した状態を良好に維持でき、確実に釣針が分割殻部に当たらないように保持できる。
【００１８】
また、ケース体は、２つの分割殻部を閉鎖方向にばね付勢しつつ開閉自在に設けた構成とすることにより、簡単な操作で釣針をケース体内部に収納、ケース体から取り出し操作することができ、使い勝手を向上できる。
【図面の簡単な説明】
【００１９】
【図１】本実施形態に係るルアーの釣針カバー装置の第１の実施形態の斜視図である。
【図２】図１のルアーの釣針カバー装置の分割殻部を開いた状態の説明図である。
【図３】図１のルアーの釣針カバー装置の正面図である。
【図４】図３のルアーの釣針カバー装置のＡ−Ａ線断面図である。
【図５】図４のルアーの釣針カバー装置の分割殻部を開いた状態の説明図である。
【図６】図３のルアーの釣針カバー装置のＢ−Ｂ線断面図である。
【図７】図６のルアーの釣針カバー装置の分割殻部の開閉線部の一部拡大説明図である。
【図８】図１のルアーの釣針カバー装置をルアーに装着した状態の説明図である。
【図９】図１のルアーの釣針カバー装置を持ち運ぶ際の一例の説明図である。
【図１０】本実施形態に係るルアーの釣針カバー装置の第２の実施形態の斜視図である。
【図１１】図１０のルアーの釣針カバー装置の縦断面図である。
【図１２】図１０のルアーの釣針カバー装置の横断面図である。
【発明を実施するための形態】
【００２０】
以下添付図面を参照しつつ本発明のルアーの釣針カバー装置の実施形態について説明する。本発明に係るルアーの釣針カバー装置は、例えば、ルアーフィッシングで利用されるルアーについて、ルアーを携帯する際にルアーに連結接続された釣針部分を収容する釣針用カバーである。図１ないし図９は、本発明のルアーの釣針カバー装置の第１の実施形態を示している。図１、図２、図４に示すように、本実施形態では、ルアーの釣針カバー装置１０は、釣針を収容するケース体１２と、釣針を保持する保持手段１４と、を備えている。
【００２１】
本実施形態では、ルアー１００は、例えば、図８に示すように、魚等の形状をした木製又は合成樹脂製のルアー本体１０２の一端側すなわち魚形状の口部側にラインに接続されるラインアイレット１０４が固定され、ルアー本体１０２の長手方向中間位置すなわち魚の腹部相当部分と、魚の尾鰭相当部分にそれぞれ固定されたフックアイレット１０６にリング１０８を介して釣針１１０が接続されている。釣針１１０は、直線状の軸１１２の一端に、ルアー本体１０２のアイレット１０６にリング１０８を介して接続されるアイ部１１４が設けられており、軸１１２の他端には、放射状に３つのフックのカーブ部１１６が一体的に設けられている。Ｕ字状のカーブ部１１６の突出先端側にかえし１１８が形成され、その先端に針先１１９が上方を向けて形成されている。釣針１１０は、ルアー本体１０２に対する軸１１２の角度を自由に変化させ得るように自由に動けるような接続状態で連結されてルアー本体１０２に吊支されている。なお、図８では、説明のために一方（腹部側）の釣針１１０に装着されたルアーの釣針カバー装置１０は断面した状態で示している。
【００２２】
ケース体１２は、釣針１１０を内部に収容する収容空間１６を有する釣針収容手段である。図１、図２、図３、図４に示すように、本実施形態では、ケース体１２は、釣針１１０を出し入れできるように開閉可能な複数の分割殻部を含む構成となっている。具体的には、ケース体１２は、例えば、釣針１１０の略全体を収容しうるような大きさの略球体状に設けられているとともに、２分割構成となっており、２つの半球殻状の分割殻部１８ａ、１８ｂを開閉可能に組み合わせて形成されている。２つの分割殻部１８ａ、１８ｂは、例えば、半球状の分割殻部１８ａ、１８ｂの互いの開口縁を合わせて開閉線部１９を構成し、開閉操作部２０を介してそれらの開閉線部１９から開閉自在に設けられている。
【００２３】
開閉操作部２０は、２つの分割殻部１８ａ、１８ｂにそれぞれ固定される１対のつまみ部２２と、一対のつまみ部２２を揺動自在に連結する揺動軸２４と、２つの分割殻部１８ａ、１８ｂを閉鎖方向に付勢するようにつまみ部２２に係合する付勢ばね２６と、を含む。つまみ部２２は、例えば、それぞれ一端を半円状とした舌片状の板片部材からなり、他端部が分割殻部１８ａ、１８ｂに固定され、略ハ字状に対向配置されている。つまみ部２２の対向内側には、ブラケット状の軸支部２８が突設されており、該軸支部２８の揺動軸２４が貫通状に組み付けられている。つまみ部２２が揺動軸２４回りに揺動することにより、ケース体１２の２つの分割殻部１８ａ、１８ｂが自在に開閉する。付勢ばね２６は、例えば、円筒状のコイル巻ばねからなり、揺動軸２４の周りに配置されつつ、両端部をそれぞれつまみ部２２の軸支部２８に固定させて、２つの分割殻部１８ａ、１８ｂを閉鎖方向にばね付勢させるように設けられている。さらに、つまみ部２２には、該板片を貫通した吊下用貫通孔３０が設けられている。つまみ部２２の吊下用貫通孔３０を介して、例えば、図９に示すように、釣り人が装着している衣服やベルト、バッグや釣り道具ホルダー等に取付けられるリングやナスカン等を介して着脱可能に吊り下げるができる。
【００２４】
図１、図２、図４、図６に示すように、ケース体１２には、釣針１１０のアイ部１１４を通す開口３２が設けられている。開口３２は、例えば、アイ部１１４の径より大きな径で略円形状に設けられており、開閉線部１９の中間位置に設けられている。よって、開口３２は、２つの分割殻部１８ａ、１８ｂの縁部にそれぞれ凹設された半円状の切欠き３３（図２参照）を組み合わせて形成されている。開口３２は、例えば、開閉操作部２０に対してケース体１２の直径方向に対向する位置に設けられている。よって、開閉操作部２０を操作して、２つの分割殻部１８ａ、１８ｂを開操作すると、開き幅が大きくなる縁部側に開口３２を形成する切欠き３３が設けられている。さらに、ケース体１２には、開口３２と径方向に対向する位置すなわち開閉操作部２０が設けられた部分に近接した位置には、水抜き用開口３４が設けられている。水抜き用開口３４は、開口３２に比較して小径に形成されるとともに、水抜き用開口３４も開口３２同様に、２つの分割殻部１８ａ、１８ｂの縁部にそれぞれ凹設された半円状の切欠きを組み合わせて形成される。水抜き用開口３４は、例えば、ルアーを使用した後や洗浄した後に濡れているルアーの釣針を収容した際に、良好に水を抜いて、ケース体内に水が溜まるのを防止できる。
【００２５】
図７に示すように、ケース体１２の２つの分割殻部１８ａ、１８ｂの互いに当接する縁部には、互いに噛み合わせ状に係合する段差部３６が設けられている。これにより、例えば、ルアー本体１０２に対して釣針１１０が激しく揺れて、釣針１１０のカーブ部１１４等がケース体１２の開閉線部１９に当たっても、該カーブ部１１６が開閉線部１９から外に出るのを防止できる。
【００２６】
図１、図２、図４に示すように、保持手段１４は、ケース体１２内に収容した釣針１１０のかえし１１８や針先１１０がケース体１２自体に当たらないように釣針１１０を保持する保持手段である。本実施形態では、保持手段１４は、ケース体１２の内部１６に収容状に配置されて該ケース体１２に支持されている。保持手段１４は、例えば、一端がケース体１２に固定されるとともに、他端がケース体内に収容されて釣針１１０のアイ部１１２に係合する係止具３８を有する。係止具３８は、例えば、金属又は合成樹脂等の硬質素材で形成された太線状の通し杆４０を含む。
【００２７】
通し杆４０は、例えば、その径がアイ部１１４の貫通孔の径よりも小さな太線状に形成されている。通し杆４０は、略球体状のケース体１２の輪郭に沿うような円弧線条に形成されて、ケース体１２の分割殻部１８ａ、１８ｂの開閉線部１９の近傍であって開口３２が形成された位置に配置されるとともに、該開口３２を跨るように配置されている。通し杆４０は、一端を一方の分割殻部１８ａの内壁に例えば、接着剤等による固定部４２により固定されるとともに、他端が他方の分割殻部１８ｂの内壁に沿って近接されるように突設されている。図４に示すように、通し杆４０は、釣針１１０のアイ部１１４の貫通孔に刺し通した状態で該釣針１１０を係止する。すなわち通し杆４０は、釣針１１０をケース体１２に収容した状態で釣針１１０のアイ部１１４を係止して、釣針１１０の吊支時の吊支方向、すなわち、図４上では水平横方向から上方向に湾曲した円弧線条となっている。図５に示すように、分割殻部１８ａ、１８ｂを開操作して、通し杆４０の他端から釣針１１０のアイ部１１４の貫通孔に挿し通し、分割殻部１８ａ、１８ｂを閉鎖すると、通し杆４０の他端と、分割殻部１８ｂの内壁との隙間が狭くなって該通し杆４０の他端が閉鎖され、開口３２の縁部で該アイ部１１４が抜脱されないような状態で通し杆４０にアイ部１１４が係止保持される。例えば、ルアー本体１０２を手で持つと、釣針１１０が吊支されるが、ケース体１２の開閉線部１９に設けられた開口３２とアイ部１１４との間にある程度隙間があることから、釣針１１０を引き上げるような吊支テンションＴが直接的に作用する。これにより、釣針に上方に引き上げるような力が加わり、通し杆の貫通孔内でのあそびをなくすように作用する。また、例えば、ルアーからの吊支テンションＴが開口３２を介して直接的に釣針に作用するので、アイ部を刺し通している通し杆４０には上方に引き上げるような力が作用して、突出先端側が分割殻部１８ｂの内壁に近接させる向きに力が作用する。その結果、通し杆４０からのアイ部１１４の離脱を良好に防止でき、保持手段による釣針の保持を確実に行える。
【００２８】
なお、カバー体１２や保持手段１４は、上記したものに限らず任意に構成してもよい。カバー体１２は、上述したような略球体状に限らず、例えば、円筒状、箱体状、その他任意の立体形状としてもよく、目玉等を付けて魚やその他のキャラクターに模したデザイン等としてもよい。また、カバー体１２は、３個以上の複数の分割殻部で構成してもよい。また、複数の分割殻部の開閉構成は、任意でよく、分割殻部どうしを組付け分離自在として開閉する構成でもよい。また、通し杆４０は、例えば、直線状やＵ字状、Ｖ字状等、その他、アイ部を係止するような形状であれば任意でも良い。
【００２９】
次に、本実施形態に係るルアーの釣針カバー装置１０の作用について説明する。ルアーの釣針カバー装置１０をルアー１００の釣針１１０に装着する際には、図２、図５に示すように、開閉操作部２０の付勢ばね２６の付勢力に抗して一対のつまみ部２２を手で操作して分割殻体１８ａ、１８ｂを開操作する。釣針１１０を分割殻１８ａ、１８ｂの内部に収容しつつ、通し杆４０の突出端からアイ部１１４の貫通孔に刺し通す。つまみ部２２から手を放すと、付勢ばね２６のばね付勢力により分割殻体１８ａ、１８ｂが閉鎖するとともに、通し杆４０の突出端が分割殻体１８ｂの内壁に略沿うように近接して閉鎖され、該アイ部１１４が離脱しないように該通し杆４０に係止される。これにより、ルアーの釣針をケース体内に収容した際に、該釣針１１０のかえしの針先１１９が該カバー体１２の内壁に当たるのを確実に防止でき、釣針の針先を保護しながら釣針を収納することができる。例えば、図９に示すように、釣り人の腰に装着した釣り道具吊支用のチェーン等の索条ＣＨにルアー１００の釣針１１０をカバーして装着したルアーの釣針用カバー装置１０のつまみ部２２の吊支用貫通孔３０を介して吊支して携帯することができる。このような携帯状態でも、保持手段１４によりカバー体１２に対して釣針１１０があたらないように保持しながら、釣針をカバー体内に収納して安全に持ち運ぶことができる。一方、ルアーを使用する際には、開閉操作部２０のつまみ部２２を上記同様に手でつまんで分割殻体１８ａ、１８ｂを開操作し、釣針１１０のアイ部１１４から通し杆４０を引き抜きながら、該釣針を分割殻体１８ａ、１８ｂから取り出す。このようにして、ルアーの釣針から釣針カバー装置を簡単に装着、離脱して、使用することができる。
【００３０】
次に、図１０、図１１、図１２を参照しつつ本発明のルアーの釣針カバー装置の第２の実施形態について説明する。上記した第１実施形態と同一構成、同一部材には、同一符号を付し、その詳細な説明は省略する。図１０、図１１、図１２に示すように本実施形態では、ルアーの釣針カバー装置１０−２は、上記実施形態同様に、分割殻体１８ａ、１８ｂを含むカバー体１２と、通し杆４０を含む保持手段１４と、を備えている。本実施形態では、カバー体１２の開口３２は２個設けられており、それぞれの開口３２の位置に対応して２つの通し杆４０が設けられている。カバー体１２の開口３２は、略球体状のカバー体１２の直径方向に対向して形成されている。開閉操作部２０は、分割殻部１８ａ、１８ｂの２つの開口３２を通る直径方向に対して直交する位置に取付けられている。本実施形態でも上記実施形態同様に、ルアーの釣針１１０をカバー体１２内に収容した際に保持手段１４により釣針がカバー体内壁に当たらないように保持することができ、該釣針のカバー釣針のかえし先端を保護できる等の作用効果を奏し得る。さらに、２つの通し杆４０のいずれでも釣針のアイ部を係止できるので、カバー体を上下の向きが限定されず、いずれの向きでも釣針のアイ部を係止して釣針を収容でき、使い勝手が良い。
【００３１】
以上説明した本発明のルアーの釣針カバー装置は、上記した実施形態のみの構成に限定されるものではなく、特許請求の範囲に記載した本発明の本質を逸脱しない範囲において、任意の改変を行ってもよい。
【産業上の利用可能性】
【００３２】
本発明のルアーの釣針カバー装置は、例えば、ルアー本体に接続された釣針を保護するのに利用される。
【符号の説明】
【００３３】
１０    ルアーの釣針カバー装置
１２    ケース体
１４    保持手段
１８ａ、１８ｂ    分割殻部
１９    開閉線部
２６    付勢ばね
３２    開口
３８    係止具
４０    通し杆
１００    ルアー
１１０    釣針
１１２    軸
１１４    アイ部
１１８    かえし
１１９    針先